(57)【要約】【課題】  人の温熱感覚申告に基づいて、多数の人が快適になるよう空調機の設定温度を演算する空調管理装置、空調管理プログラム、および空調管理システムを提供する。【解決手段】  アンケート管理部１１は、人が感じている室内温度の温熱感覚を数値化したＰＭＶ値を受信すると、個人毎にそれぞれアンケートデータ１５に記録し、ＰＭＶ集計演算部１２は、予め決められた時間間隔をもって記憶装置に記憶されている人それぞれのＰＭＶ値からその平均値を算出し、平均値が算出された後、室温設定値演算部１３は、その平均値に基づいて空調機６の設定温度を算出する。【選択図】  図２
2005077066.tif 000002
【特許請求の範囲】
【請求項１】
空調機を制御するコントローラに対して設定温度を指示する空調管理装置であって、
室内温度について人が感じている温熱感覚を数値化したＰＭＶ値を、個人毎にそれぞれ記憶するＰＭＶ値記憶手段と、
前記ＰＭＶ値を受信し、前記ＰＭＶ値記憶手段に記録するＰＭＶ値管理手段と、
予め決められた時間間隔をもって前記ＰＭＶ値記憶手段に記憶されている複数の前記ＰＭＶ値からその平均値を算出する平均値算出手段と、
前記平均値算出手段が前記平均値を算出すると、当該平均値に基づいて前記設定温度を算出する設定温度算出手段と、
を備えることを特徴とする空調管理装置。
【請求項２】
所定時間内に前記ＰＭＶ値管理手段が同一人の前記ＰＭＶ値を複数回受信すると、前記ＰＭＶ値記憶手段は、前記ＰＭＶ値の積算値と、受信回数を記憶し、
前記平均値算出手段は、前記ＰＭＶ値記憶手段に記憶されている人それぞれの前記積算値と前記受信回数とからその平均値を算出することを特徴とする請求項１に記載の空調管理装置。
【請求項３】
前記設定温度算出手段は、空調機の運転状態に応じて設定温度を切り換える際の基準値である目標ＰＭＶ値と前記平均値との差を算出し、算出結果に応じて前記設定温度の変化量を決定し、当該変化量に基づいて前記設定温度を算出することを特徴とする請求項１乃至請求項２に記載の空調管理装置。
【請求項４】
前記設定温度算出手段は、空調機の運転状態に応じて設定温度を切り換える際の基準値である目標ＰＭＶ値と前記平均値との差を算出し、算出結果に応じて前記平均値算出手段が前記平均値を算出する前記時間間隔を変更することを特徴とする請求項１乃至請求項３に記載の空調管理装置。
【請求項５】
前記ＰＭＶ値管理手段は、人が感じている室内温度の温熱感覚を入力するアンケート画面を表示するためのＨＴＭＬファイルを生成することを特徴とする請求項１乃至請求項４に記載の空調管理装置。
【請求項６】
室内温度について人が感じている温熱感覚を数値化したＰＭＶ値を、個人毎にそれぞれ記憶する記憶装置を備え、空調機を制御するコントローラに対して設定温度を指示するコンピュータ上で実行される空調管理プログラムであって、
前記コンピュータを
前記ＰＭＶ値を受信し、前記記憶装置に記録するＰＭＶ値管理手段と、
予め決められた時間間隔をもって前記記憶装置に記憶されている複数の前記ＰＭＶ値からその平均値を算出する平均値算出手段と、
前記平均値算出手段が前記平均値を算出すると、当該平均値に基づいて前記設定温度を算出する設定温度算出手段と、
して機能させることを特徴とする空調管理プログラム。
【請求項７】
前記ＰＭＶ値管理手段は、所定時間内に同一人の前記ＰＭＶ値を複数回受信すると、前記記憶装置に前記ＰＭＶ値の積算値と、受信回数を記録し、
前記平均値算出手段は、前記記憶装置に記憶されている人それぞれの前記積算値と前記受信回数とからその平均値を算出することを特徴とする請求項６に記載の空調管理プログラム。
【請求項８】
前記設定温度算出手段は、空調機の運転状態に応じて設定温度を切り換える際の基準値である目標ＰＭＶ値と前記平均値との差を算出し、算出結果に応じて前記設定温度の変化量を決定し、当該変化量に基づいて前記設定温度を算出することを特徴とする請求項６乃至請求項７に記載の空調管理プログラム。
【請求項９】
前記設定温度算出手段は、空調機の運転状態に応じて設定温度を切り換える際の基準値である目標ＰＭＶ値と前記平均値との差を算出し、算出結果に応じて前記平均値算出手段が前記平均値を算出する前記時間間隔を変更することを特徴とする請求項６乃至請求項８に記載の空調管理プログラム。
【請求項１０】
前記ＰＭＶ値管理手段は、人が感じている室内温度の温熱感覚を入力するアンケート画面を表示するためのＨＴＭＬファイルを生成することを特徴とする請求項６乃至請求項９に記載の空調管理プログラム。
【請求項１１】
空調機を制御するコントローラに対して、設定温度を指示する空調管理システムであって、
室内温度について人が感じている温熱感覚を数値化したＰＭＶ値を、個人毎にそれぞれ記憶するデータベースと、
前記ＰＭＶ値を受信し、前記データベースに記録するＰＭＶ値管理装置と、
予め決められた時間間隔をもって前記データベースに記憶されている複数の前記ＰＭＶ値からその平均値を算出する平均値算出装置と、
前記平均値算出装置が前記平均値を算出すると、当該平均値に基づいて前記設定温度を算出する設定温度算出装置と、
を備えることを特徴とする空調管理システム。
【請求項１２】
所定時間内に前記ＰＭＶ値管理装置が同一人の前記ＰＭＶ値を複数回受信すると、前記データベースは、前記ＰＭＶ値の積算値と、受信回数を記憶し、
前記平均値算出装置は、前記データベースに記憶されている人それぞれの前記積算値と前記受信回数とからその平均値を算出することを特徴とする請求項１１に記載の空調管理システム。
【請求項１３】
前記設定温度算出装置は、空調機の運転状態に応じて設定温度を切り換える際の基準値である目標ＰＭＶ値と前記平均値との差を算出し、算出結果に応じて前記設定温度の変化量を決定し、当該変化量に基づいて前記設定温度を算出することを特徴とする請求項１１乃至請求項１２に記載の空調管理システム。
【請求項１４】
前記設定温度算出装置は、空調機の運転状態に応じて設定温度を切り換える際の基準値である目標ＰＭＶ値と前記平均値との差を算出し、算出結果に応じて前記平均値算出装置が前記平均値を算出する前記時間間隔を変更することを特徴とする請求項１１乃至請求項１３に記載の空調管理システム。
【請求項１５】
前記ＰＭＶ値管理装置は、人が感じている室内温度の温熱感覚を入力するアンケート画面を表示するためのＨＴＭＬファイルを生成することを特徴とする請求項１１乃至請求項１４に記載の空調管理システム。
【発明の詳細な説明】
【技術分野】
【０００１】
本発明は、人の温熱感覚申告に基づいて、多数の人が快適になるよう空調機の設定温度を演算する空調管理装置、空調管理プログラム、および空調管理システムに関する。
【背景技術】
【０００２】
従来の空調制御方式の１つとして、快適性指標を表すＰＭＶ値（Predicted Mean Vote：平均予測申告）を用いた空調制御方式がある。これはＦａｎｇｅｒの実験式をベースにしており、ＰＭＶ演算式の煩雑さに加え、演算に必要な室温、平均輻射温度、湿度、気流速度、着衣量、活動量等、多数の要因を取り込む必要があった。
【０００３】
そのため、多数のセンサ等を設置する必要があり、現実的には設備コストが大きな問題となっていた。また、空間を快適な温度にするためには壁温度推定計算モデルのチューニング等の問題があった。
【特許文献１】特開平５−１８５８１号公報
【特許文献２】特開２００１−２７２０７５号公報
【特許文献３】特許第３０４９２６６号公報
【発明の開示】
【発明が解決しようとする課題】
【０００４】
解決しようとする問題点は、空調機の制御方式の複雑さであり、空間使用者の温熱感覚申告に基づいて、多数の人が快適になるよう空調機の設定温度を演算する空調管理装置、空調管理プログラム、および空調管理システムを提供することを目的とする。
【課題を解決するための手段】
【０００５】
上記目的を達成するために、本発明は、室内温度について人が感じている温熱感覚を数値化したＰＭＶ値を、個人毎にそれぞれ記憶する記憶装置を用意し、ＰＭＶ値を受信すると、記憶装置に記録し、予め決められた時間間隔をもって記憶装置に記憶されている複数のＰＭＶ値からその平均値を算出し、平均値が算出された後、その平均値に基づいて空調機の設定温度を算出することを特徴とする。
【０００６】
また、所定時間内に同一人からのＰＭＶ値を複数回受信すると、ＰＭＶ値の積算値と、受信回数を記憶し、記憶装置に記憶されている人それぞれの積算値と受信回数とからその平均値を算出することを特徴とする。
【０００７】
また、空調機の運転状態に応じて設定温度を切り換える際の基準値である目標ＰＭＶ値と前記平均値との差を算出し、算出結果に応じて前記設定温度の変化量を決定し、変化量に基づいて設定温度を算出することを特徴とする。
【０００８】
また、空調機の運転状態に応じて設定温度を切り換える際の基準値である目標ＰＭＶ値と前記平均値との差を算出し、算出結果に応じて平均値を算出する時間間隔を変更することを特徴とする。
【０００９】
また、人が感じている室内温度の温熱感覚を入力するアンケート画面を表示するためのＨＴＭＬファイルを生成することを特徴とする。
【発明の効果】
【００１０】
本発明によれば、人の温熱感覚申告に基づいて、多数の人が快適になるよう空調機の設定温度を演算するので、多数のセンサ類を必要とすることなく、各人の温熱感覚を反映して、快適な範囲の室温環境を提供することが可能となる。
【発明を実施するための最良の形態】
【００１１】
本実施形態について、図１〜８を用いて説明する。本実施形態における空調管理装置１は、図１に示すように、複数のユーザ端末２とインターネット、ＬＡＮ等のネットワーク４を介して接続され、さらに空調機６を制御するダイレクトデジタルコントローラ（以下、ＤＤＣ５と称す）と接続される。
【００１２】
空調管理装置１は、図２に示すように、アンケート管理部１１、ＰＭＶ集計演算部１２、および室温設定値演算部１３を備え、空調管理装置１が備える記憶装置、または補助記憶装置（図示しない）にアンケートデータ１５、空調管理データ１６、および消費電力データ１７を記憶する。
【００１３】
アンケート管理部１１は、ユーザ端末２のユーザが室温感覚の回答を入力するためのホームページを表示するためのＨＴＭＬファイルを生成する機能、およびユーザ端末２から送信されるＰＭＶ値を受信しアンケートデータ１５に記録する機能を有する。
【００１４】
また、ＰＭＶ集計演算部１２は、アンケートデータ１５に記録されているＰＭＶ値の積算値と入力回数に基づいて、平均ＰＭＶ値を算出する機能を有する。
【００１５】
また、室温設定値演算部１３は、ＰＭＶ集計演算部１２によって算出された平均ＰＭＶ値に基づいて、空調機６の設定温度を決定する機能、および平均ＰＭＶ値に基づいてアンケートデータ１５を集計する時刻を決定する機能を有する。
【００１６】
また、アンケートデータ１５は、図３に示すように、ユーザ名、所在フロア、ＰＭＶ値、積算値、入力回数、および在席フラグの項目を有するデータテーブルであり、ユーザ名の項目には、ユーザ端末２を操作してアンケートを入力するユーザの氏名が記録され、所在フロアの項目には、ユーザ端末２が設置されているフロアを識別する情報が記録される。なお、本実施形態においては、フロア毎に空調機６の設定温度を管理するためフロアを識別する情報を記録するが、建物単位、部屋単位で設定温度を管理する場合は、さらに建物や部屋を識別するための項目が設けられる。
【００１７】
また、ＰＭＶ値の項目には、ユーザがアンケートに対して回答した室温感覚に応じたＰＭＶ値が記録される。このＰＭＶ値とは、ユーザが感じている室温感覚を数値化したものであり、本実施形態では、「暑い」と感じる場合はＰＭＶ値を“＋３”、「暖かい」と感じる場合はＰＭＶ値を“＋２”、「やや暖かい」と感じる場合はＰＭＶ値を“＋１”、「どちらでもない」と感じる場合はＰＭＶ値を“０”、「やや涼しい」と感じる場合はＰＭＶ値を“−１”、「涼しい」と感じる場合はＰＭＶ値を“−２”、「寒い」と感じる場合はＰＭＶ値を“−３”とする。
【００１８】
積算値の項目には、所定の時間内に入力されたＰＭＶ値の積算値が記録され、入力回数の項目には、所定の時間内に行われたＰＭＶ値の入力の回数が記録される。また、在席フラグの項目には、ユーザ端末２が起動されているか、ユーザが在席しているか示す値が記録され、この在席フラグの項目値が“１”である場合は、ユーザが在席、またはユーザ端末２が起動されていることを示し、項目値が“０”である場合は、ユーザが不在、またはユーザ端末２が起動されていないことを示す。
【００１９】
また、空調管理データ１６は、図４に示すように、フロア、運転状態、目標ＰＭＶ値、平均ＰＭＶ値、集計時刻、次回集計時刻、および設定温度の項目を有するデータテーブルであり、フロアの項目には、空調機６の設定温度を管理する区分（フロア）が記録され、運転状態の項目には、各フロアに設置されている空調機６の運転状態、冷房運転をしているのか暖房運転をしているのか、または停止しているのかが記録される。
【００２０】
また、目標ＰＭＶ値の項目には、空調機６の運転状態に応じて設定温度を切り換える際の基準値となるＰＭＶ値（以下、目標ＰＭＶ値と称す）が記録され、平均ＰＭＶ値の項目には、アンケートデータ１５に記録されている積算値および入力回数から算出されるＰＭＶ値の平均値（以下、平均ＰＭＶ値と称す）が記録される。
【００２１】
一般的に人が快適と感じる室温を示すＰＭＶ値の範囲は−０．５〜＋０．５であるので、冷暖房時には、空調負荷を抑え省エネを図るために、快適範囲ぎりぎりで空調機６の運転を行うようにする。本実施形態においては、この目標ＰＭＶ値の項目に記録されるＰＭＶ値は、例えば、空調機６が冷房運転を行っている場合は“＋０．５”、空調機６が暖房運転を行っている場合は“−０．５”とする。
【００２２】
また、集計時刻の項目には、平均ＰＭＶ値が演算された時刻が記録され、次回集計時刻の項目には、平均ＰＭＶ値を算出する次の時刻が記録される。また、設定温度の項目には、目標ＰＭＶ値と算出された平均ＰＭＶ値とから算出される空調機６の設定温度が記録される。
【００２３】
また、消費電力データ１７は、図示しない電力計から供給される消費電力量を示すデータであり、時系列順に単位時間あたりの消費電力量が日単位で記録されたデータである。なお、消費電力量は電力メータから自動的に取り込まれることとする。
【００２４】
また、ユーザ端末２は、キーボードやマウス等の入力装置とディスプレイ等の表示装置を備えるコンピュータ端末であり、Ｗｅｂブラウザ等を用いてユーザ端末２が備える表示装置にアンケートの画面を表示し、そのアンケートに対して入力された室温の感覚に応じたＰＭＶ値を空調管理装置１に送信する機能を有する。また、ＤＤＣ５は、空調管理装置１が設定する空調機６の運転モードを設定温度に従って、各フロアに設置される空調機６を制御する機能を有する。
【００２５】
なお、ユーザ端末２−空調管理装置１間の諸データの送受信は、ＨＴＴＰの規約に従ってファイル転送にて行うこととし、ユーザ端末２はＰＭＶ値をＨＴＴＰのリクエストメッセージのメッセージヘッダに挿入して空調管理装置１へ送信することとする。
【００２６】
次に、図５〜図７を用いて空調管理装置１が行う処理の流れについて説明する。
【００２７】
まず、図５のシーケンス図に基づいて、ユーザ端末２から送信されるＰＭＶ値の記録処理について説明する。
【００２８】
ユーザ端末２が起動され、ユーザ端末２が備える入力装置を利用してユーザが室温感覚の回答を入力するためのホームページ（以降、アンケートページと称す）を要求する操作を入力すると、ユーザ端末２は、空調管理装置１に対してアンケートページを要求するリクエストメッセージを送信する（ステップＳ０１）。この時、ユーザ端末２は、リクエストメッセージのメッセージヘッダにユーザ端末２を利用しているユーザのユーザ名を、例えば「UserName=”Utada”」というような文字列で挿入する。
【００２９】
空調管理装置１のアンケート管理部１１は、ユーザ端末２からアンケートページのリクエストメッセージを受信すると、リクエストメッセージのメッセージヘッダからユーザ名を取得し、取得したユーザ名に基づいてアンケートデータ１５を参照し、取得したユーザ名に該当するレコードの在席フラグの項目値が“０”である場合には“１”に変更する（ステップＳ０２）。
【００３０】
また、アンケート管理部１１は、在席フラグの項目値を“０”から“１”へ変更した場合は、ＰＭＶ値、積算値、および入力回数の項目値をすべて“０”にし、アンケートデータ１５に記録されている各データの初期化を行う。なお、既に在席フラグの項目値が“１”である場合には、アンケート管理部１１は後続の処理へ移行する。
【００３１】
次に、アンケート管理部１１は、アンケートページを表示するためのＨＴＭＬファイルを生成する（ステップＳ０３）。アンケートページは、図６に示すように、「暑い」から「寒い」までの７段階で室温感覚の回答を入力するためラジオボタンを表示する領域（図６（Ａ）部）と、前回ユーザが入力した回答を表示する領域（図６（Ｂ）部）と、前回の算出された平均ＰＭＶ値を表示する領域（図６（Ｃ）部）と、現在の消費電力量を表示する領域（図６（Ｄ）部）と、前日の同時刻における消費電力量を表示する領域（図６（Ｅ）部）とを有する。
【００３２】
具体的には、アンケート管理部１１は、まず取得したユーザ名に基づいてアンケートデータ１５を参照し、取得したユーザ名に該当するレコードのＰＭＶ値の項目値と所在フロアの項目値を取得する。なお、在席フラグの項目値が“０”から“１”へ変更された直後はＰＭＶ値の項目値は初期化された状態なので、アンケート管理部１１はＰＭＶ値の項目値を取得しなくても良い。
【００３３】
次に、アンケート管理部１１は、取得した所在フロアの項目値に基づいて空調管理データ１６を参照し、所在フロアの項目値とフロアの項目値が一致するレコードの平均ＰＭＶ値の項目値と集計時刻の項目値を取得する。次に、アンケート管理部１１は、消費電力データ１７を参照して、現在の消費電力量のデータと前日の同時刻における消費電力量のデータを取得する。
【００３４】
取得したＰＭＶ値の項目値と所在フロアの項目値、平均ＰＭＶ値の項目値と集計時刻の項目値、現在の消費電力量のデータと前日の同時刻における消費電力量のデータに基づいて、アンケート管理部１１は、図６に示すアンケートページを表示するためのＨＴＭＬファイルを生成し、そのＨＴＭＬファイルをリクエストメッセージに対するレスポンスメッセージとしてユーザ端末２へ送信する。
【００３５】
ユーザ端末２は、レスポンスメッセージを受信すると、図６に示すアンケートページを表示する（ステップＳ０４）。なお、アンケートページ内に、１５分毎や３０分毎等、所定の時間間隔でアンケートページの自動更新を行うスクリプトを挿入しておき、ユーザがアンケートの回答を入力せずともユーザ端末２が自動的にアンケートページを更新取得する（図５中、ステップＳ０１へ戻る破線の処理）。
【００３６】
ユーザ端末２が表示装置にアンケートページを表示した後、ユーザが感じている室内の温熱感覚、「暑い」から「寒い」までのいずれか１つラジオボタンを選択することによってアンケートの回答を入力し、送信ボタンを押下すると（ステップＳ０５）、ユーザ端末２は、選択されたラジオボタンに対応するＰＭＶ値を取得し、その取得したＰＭＶ値とユーザ名とからなるＰＭＶ値データ１８をリクエストメッセージのメッセージヘッダに挿入し、そのリクエストメッセージを空調管理装置１へ送信する（ステップＳ０６）。
【００３７】
ユーザが選択した感覚が図６に示すように「暖かい」であれば、ＰＭＶ値は“＋２”となり、また、ＰＭＶ値データ１８は、例えば「UserName=”Utada”&PMV=”+2”」という文字列からなるデータとなる。
【００３８】
空調管理装置１のアンケート管理部１１は、ユーザ端末２からＰＭＶ値データ１８が挿入されたリクエストメッセージを受信すると、メッセージヘッダからＰＭＶ値とユーザ名を取得し、取得したＰＭＶ値とユーザ名とに基づいてアンケートデータ１５を更新する（ステップＳ０７）。
【００３９】
具体的には、アンケート管理部１１は、まず取得したユーザ名に基づいてアンケートデータ１５を参照し、取得したユーザ名に該当するレコードのＰＭＶ値の項目に取得したＰＭＶ値を記録する。次に、アンケート管理部１１は、積算値の項目に既に記録されている値と取得したＰＭＶ値とを加算し、加算結果を積算値の項目に記録し、さらに入力回数の項目値を１つインクリメントする。
【００４０】
図６に示すアンケートデータ１５のうち、ユーザ名が「Utada」となっているレコードのＰＭＶ値の項目には、アンケート管理部１１が取得した“＋２”という値が記録されており、また、積算値の項目には、“＋２”と既に記録されていた値とが加算され、加算結果の“３”という値が記録されている。
【００４１】
次に、アンケート管理部１１は、アンケートページを表示するためのＨＴＭＬファイルを生成する（ステップＳ０８）。具体的には、アンケート管理部１１は、まず取得したユーザ名に基づいてアンケートデータ１５を参照し、取得したユーザ名に該当するレコードの所在フロアの項目値を取得する。
【００４２】
次に、アンケート管理部１１は、取得した所在フロアの項目値に基づいて空調管理データ１６を参照し、所在フロアの項目値とフロアの項目値が一致するレコードの平均ＰＭＶ値の項目値と集計時刻の項目値を取得する。次に、アンケート管理部１１は、消費電力データ１７を参照して、現在の消費電力量のデータと前日の同時刻における消費電力量のデータを取得する。
【００４３】
リクエストメッセージのメッセージヘッダから取得したＰＭＶ値の項目値、所在フロアの項目値、平均ＰＭＶ値の項目値と集計時刻の項目値、現在の消費電力量のデータと前日の同時刻における消費電力量のデータに基づいて、アンケート管理部１１は、アンケートページを表示するためのＨＴＭＬファイルを生成し、そのＨＴＭＬファイルをリクエストメッセージに対するレスポンスメッセージとしてユーザ端末２へ送信する。
【００４４】
ユーザ端末２は、レスポンスメッセージを受信すると、アンケートページを表示する（ステップＳ０９）。なお、アンケートページ内に、１５分毎や３０分毎等、所定の時間間隔でアンケートページの自動更新を行うスクリプトを挿入しておき、ユーザがアンケートの回答を入力せずともユーザ端末２が自動的にアンケートページを更新する（図５中、ステップＳ０１へ戻る破線の処理）。その際、ユーザ端末２は、ＰＭＶ値“０”をＰＭＶ値データ１８として送信する。
【００４５】
ユーザが定期的にアンケートに回答することが望ましいが、所定の期間、回答がない場合は、ユーザ端末２は、「ユーザは空調機６の設定温度が快適であると感じている」とみなして、空調管理装置１のアンケート管理部１１は、アンケートデータ１５を更新すると共に自動的にアンケートページを表示するためのＨＴＭＬファイルを返信する。
【００４６】
このようにして、空調管理装置１は、ユーザ端末２からユーザが感じている温熱感覚を取得し、蓄積する。
【００４７】
次に、図７のシーケンス図に基づいて、アンケートデータ１５の集計処理について説明する。
【００４８】
まず空調管理装置１のＰＭＶ集計演算部１２は、定期的に空調管理データ１６の次回集計時刻の項目値を参照し（ステップＳ１１）、次回集計時刻の項目値と現在時刻とを比較し、レコード毎にＰＭＶ値を集計する時刻に至ったかどうか判定する（ステップＳ１２）。
【００４９】
ＰＭＶ集計演算部１２は、集計時刻に至ったと判定すると、次に、平均ＰＭＶ値を算出する（ステップＳ１３）。具体的には、ＰＭＶ集計演算部１２は、まず空調管理データ１６のフロアの項目値を取得しＰＭＶ値の集計を行うフロアを特定する。次に、ＰＭＶ集計演算部１２は、アンケートデータ１５を参照し、フロアの項目値と所在フロアの項目値が一致するレコードのうち、在席フラグの項目値が“１”となっているレコードの積算値の項目値と入力回数の項目値を取得する。
【００５０】
例えば、集計時刻に至ったレコードのフロアの項目値が“３Ｆ”であった場合、アンケートデータ１５の所在フロアの項目値が“３Ｆ”となっているレコード全ての積算値の項目値と入力回数の項目値がＰＭＶ集計演算部１２によって取得される。
【００５１】
次に、ＰＭＶ集計演算部１２は、下記の数式に従って、レコード毎にＰＭＶ値の平均値を算出し、フロア全体のＰＭＶ値の平均値を算出する。
【数１】
2005077066.tif 000003
ただし、ｍは在席フラグの項目値が“１”であるレコードの数。
【００５２】
図３のアンケートデータ１５であれば、３Ｆの平均ＰＭＶ値は、｛（２÷１）＋（１÷４）＋（３÷２）｝÷３＝１．２５となる。ＰＭＶ集計演算部１２は、平均ＰＭＶ値を算出した後、空調管理データ１６の平均ＰＭＶ値の項目に記録し、集計時刻の項目値を更新し、アンケートデータ１５の積算値の項目値、および入力回数の項目値をすべて“０”にし、アンケートデータ１５に記録されている各データの初期化を行い、室温設定値演算部１３に平均ＰＭＶ値を算出したこととフロアの項目値を通知する。
【００５３】
次に、室温設定値演算部１３は、ＰＭＶ集計演算部１２から通知されたフロアの項目値に基づいて空調管理データ１６を参照し、平均ＰＭＶ値の項目値と目標ＰＭＶ値の項目値とを比較し（ステップＳ１４）、現在の空調機６の設定温度を変更すべきであるか判定する（ステップＳ１５）。
【００５４】
具体的には、室温設定値演算部１３は、平均ＰＭＶ値−目標ＰＭＶ値を演算し、演算結果が所定の数値より大きいか小さいかで空調機６の設定温度を決定する。例えば、演算結果が“１”より大きい場合、室温設定値演算部１３は、空調機６の設定温度をΔＴ℃（例えば０．５℃）下げ、演算結果が“−１”より小さい場合、空調機６の設定温度をΔＴ℃上げる。また、演算結果が｜１｜より小さい場合は、室温設定値演算部１３は、空調機６の設定温度を変更しない。
【００５５】
例えば、図４の３Ｆの平均ＰＭＶ値は１．２５であり目標ＰＭＶ値は０．５である。両者の差は０．７５であり、１より小さいので、現在の空調機６の設定温度はそのままとなる。仮に、両者の差が１．５であり、現在の空調機６の設定温度が２７℃であった場合、設定温度は２６．５℃となる。
【００５６】
室温設定値演算部１３は、空調機６の設定温度を決定した後、空調管理データ１６の設定温度の項目に記録すると共に、設定温度と冷房運転または暖房運転のいずれか示す運転モードとからなる設定温度データをＤＤＣ５に送信する（ステップＳ１６）。
【００５７】
ＤＤＣ５は、空調管理装置１から設定温度データを受信すると、その運転モードと設定温度を記憶すると共に、空調機６を制御する（ステップＳ１７）。
【００５８】
また、空調管理装置１の室温設定値演算部１３は、今回の集計時刻に所定の時間間隔、例えば１５分間や３０分間を加算して次回集計時刻を決定し、空調管理データ１６の次回集計時刻の項目に記録する（ステップＳ１８）。
【００５９】
なお、ユーザが感じている室温と空調機６の設定温度が大きくずれている場合、平均ＰＭＶ値と目標ＰＭＶ値との差は大きくなるので、例えば、演算結果が“２”より大きい場合、室温設定値演算部１３は、空調機６の設定温度を２倍の２×ΔＴ℃下げ、演算結果が“−２”より小さい場合、空調機６の設定温度を２×ΔＴ℃上げる。この場合、演算結果が“１”または“−１”になった時点で、設定温度の変更幅をΔＴ℃に戻す。
【００６０】
また、ユーザが感じている室温と空調機６の設定温度が大きくずれている場合、素早く快適な温度に移行することも求められるので、例えば、演算結果が“２”より大きい場合、または“−２”小さい場合、平均ＰＭＶ値の算出間隔をＬ分から半分のＬ／２分、３０分間であったものを１５分間等に短くしてもよい。この場合、演算結果が“１”または“−１”になった時点で、算出間隔をＬ分に戻す。
【００６１】
このようにして、空調管理装置１は、空調機６の設定温度を算出し、この設定温度と運転モード（冷房運転、または暖房運転）とからなる室温設定値データ１９をＤＤＣ５に供給することによって、室内の温度をユーザが快適と感じる状態にする。
【００６２】
なお、本実施形態においては、図１に示すように、１台のコンピュータによって空調管理装置１を実現しているが、本発明はこれに限定されるものではなく、図８に示すように、複数のコンピュータによって空調管理システム２０を構成してもよい。
【００６３】
この場合、図１におけるアンケート管理部１１が図８のアンケート管理装置２１に相当し、図１におけるＰＭＶ集計演算部１２が図８のＰＭＶ集計演算装置２２に相当し、図１における室温設定値演算部１３が図８の室温設定値演算装置２３に相当する。また、空調管理システム２０は、アンケートデータ１５、空調管理データ１６、および消費電力データ１７を記憶するデータベース２４を備えることとし、各装置２１〜２３が各データを参照する際には、このデータベース２４をアクセスすることとする。
【００６４】
また、図５、および図７に示されているアンケート管理部１１、ＰＭＶ集計演算部１２、および室温設定値演算部１３が行う処理が記述されたプログラムをコンピュータに実行させることによって、空調管理装置１を実現しても良い。図８に示すアンケート管理装置２１、ＰＭＶ集計演算装置２２、および室温設定値演算装置２３についても同様に、図５、および図７に示されているアンケート管理部１１、ＰＭＶ集計演算部１２、および室温設定値演算部１３が行う処理が記述されたプログラムをそれぞれコンピュータに実行させることによって実現しても良い。
【図面の簡単な説明】
【００６５】
【図１】空調管理装置を含むシステム全体の構成を示す図である。
【図２】空調管理装置の機能構成を示す図である。
【図３】アンケートデータを示す図である。
【図４】空調管理データを示す図である。
【図５】ユーザ端末から送信されるＰＭＶ値の記録処理を示すシーケンス図である。
【図６】アンケートページの表示例を示す図である。
【図７】アンケートデータの集計処理を示すシーケンス図である。
【図８】空調管理システムの構成を示す図である。
【符号の説明】
【００６６】
１  空調管理装置
２  ユーザ端末
４  ネットワーク
５  ダイレクトデジタルコントローラ（ＤＤＣ）
６  空調機
１１  アンケート管理部
１２  ＰＭＶ集計演算部
１３  室温設定値演算部
１５  アンケートデータ
１６  空調管理データ
１７  消費電力データ
１８  ＰＭＶ値データ
１９  室温設定値データ
２０  空調管理システム
２１  アンケート管理装置
２２  ＰＭＶ集計演算装置
２３  室温設定値演算装置
２４  データベース
【図１】
2005077066.tif 000004
【図２】
2005077066.tif 000005
【図３】
2005077066.tif 000006
【図４】
2005077066.tif 000007
【図５】
2005077066.tif 000008
【図６】
2005077066.tif 000009
【図７】
2005077066.tif 000010
【図８】
2005077066.tif 000011